(57)【特許請求の範囲】
【請求項１】
ゴルフのパット練習器具（１００）において、
本体（１０２）が箱型形状に構成され、
前記本体（１０２）は、上面（１１１）と、前面（１１２）と、右側面（１１３）と、左側面（１１４）と、後面（１１５）と、下面（１１６）とを含んでおり、
前記本体（１０２）は、前記前面（１１２）と前記後面（１１５）とを通る本体中心線（１１９）に対して左右対称な形状に構成されており、
円形の基準位置マーク（１２０）が前記本体（１０２）の上面（１１１）に設けられ、前記基準位置マーク（１２０）の中心は前記本体中心線（１１９）に配置され、
前記前面（１１２）と前記下面（１１６）の境界部分は、側方から見たときに、外側に向かって凸状の円弧形状をなすように構成されており、
前記後面（１１５）の最大輪郭部は、上方から見たときに、外側に向かって凸状の円弧形状に構成されており、
前記基準位置マーク（１２０）は、前記前面（１１２）よりも前記後面（１１５）に近い位置に設けられており、
さらに、複数の突起部（１５０）が前記本体（１０２）の下面（１１６）に設けられ、前記複数の突起部（１５０）は、前記本体中心線（１１９）に対して平行に配置される、
ことを特徴とするパット練習器具。
【請求項２】
前記基準位置マーク（１２０）は、表面が反射機能を有するように構成されることを特徴とする、請求項１に記載のパット練習器具。
【請求項３】
直線状の基準方向指示線（１３０）が前記本体（１０２）の上面（１１１）に設けられ、前記基準方向指示線（１３０）は、前記本体中心線（１１９）に配置されることを特徴とする、請求項１又は２に記載のパット練習器具。
【請求項４】
ゴルフのパット練習器具（３００）において、
本体（３０２）が中空の箱型形状に構成され、
前記本体（３０２）は、上面（３１１）と、前面と、右側面と、左側面と、後面（３１５）と、下面とを含んでおり、
前記本体（３０２）は、本体中心線（３１９）に対して左右対称な形状に構成されており、
円周に沿う形状の基準位置指示線（３２０）が前記本体（３０２）の上面（３１１）に設けられ、前記基準位置指示線（３２０）の中心は前記本体中心線（１１９）に配置され、
前記後面（３１５）と前記本体（３０２）の下面とは、側方から見たときに円弧状をなす面により連続するように構成されており、
前記後面（３１５）の最大輪郭部は、上方から見たときに、外側に向かって凸状の円弧形状に構成されており、
前記本体（３０２）の上面（３１１）は、表面が反射機能を有するように構成されており、
さらに、複数の突起部が前記本体（３０２）の下面に設けられ、前記複数の突起部は、前記本体中心線（１１９）に対して平行に配置される、
ことを特徴とするパット練習器具。
【請求項５】
打撃部材（４４０）が前記本体（１０２）の後面（１１５）に設けられ、前記打撃部材（１４０）は、前記後面（１１５）の一番後方に位置する部分において、前記本体中心線（１１９）に対して対称になるように配置されることを特徴とする、請求項１から４のいずれか１項に記載のパット練習器具。
【発明の詳細な説明】
【技術分野】
【０００１】
本発明は、ゴルフのパット練習器具に関するものである。本発明は、特に、箱型形状に構成された本体を備え、円形の基準位置マークを有するパット練習器具に関する。
【背景技術】
【０００２】
図２０を参照すると、従来のゴルフ用パター練習器具８００は、長方形の本体８０１で構成されている。本体８０１の下面側に下面平坦面が設けられ、この平坦面と直交する後側平坦面８０２が設けられている。本体８０１の材質は樹脂材である。薄板状部材８０５が本体８０１の表面に貼り合わされている。薄板状部材８０５は、アドレス時の視角度によって色彩が変化するようになっている（特許文献１参照）。
【０００３】
図２１を参照すると、従来のゴルフパット練習器具８１０の表面にはシール８１２が貼着されている。シール８１２の表面には、ゴルフボール大の円８１４、８１５が描かれている。サイトライン８１６が、ゴルフパット練習器具８１０の長辺に平行で基準辺に垂直に設けられる。サイトライン８１６は、円８１４、８１５の直径の１つである。ゴルフパット練習器具８１０は、基準辺に近い部分の裏側において、両面テープによりパター８２０の後面側に貼り付けられる（特許文献２参照）。
【０００４】
現在のゴルフ規則によれば、ゴルフボールの直径は、１．６８０インチ（４２．６７ｍｍ）以上であって、重量は１．５５オンス（４５．９３グラム）以下であることと規定されている。したがって、現在使用されている多くのゴルフボール（いわゆる、ラージサイズのゴルフボール）において、直径は４３ｍｍ程度であり、重量は４５グラム程度である。現在使用されている多くのゴルフボールにおいて、カバー部材は、ウレタンまたはサーリン（アイオノマー）である。
【先行技術文献】
【特許文献】
【０００５】
【特許文献１】実公平６−４４４５２号公報（第２頁、第１図）
【特許文献２】特開２００８−６７９９０号公報（第３〜５頁、図３）
【発明の概要】
【発明が解決しようとする課題】
【０００６】
図２０に示すような従来のゴルフ用パター練習器具では、パター練習器具を正確な位置配置することが難しく、パターでパター練習器具を打ったときに、パターヘッドの打球面の軌跡が目標に対して真っ直ぐであるかどうかを見極めることが難しいという課題があった。
【０００７】
また、図２１に示すような従来のゴルフ用パター練習器具では、アドレス時にパターをセットした方向を確認することはできても、パターでゴルフボールを打ったときに、パターヘッドの打球面の軌跡が目標に対して真っ直ぐであるかどうかを見極めることが難しいという課題があった。
【０００８】
そこで、本発明の目的は、パターヘッドの打球面の軌道が目標に対して真っ直ぐであるかどうかを正確に見極めることができ、パターの練習を効率的に行うことができるように構成したパット練習器具を提供することにある。
【課題を解決するための手段】
【０００９】
本発明は、ゴルフのパット練習器具において、本体を箱型形状に構成した。前記本体は、上面と、前面と、右側面と、左側面と、後面と、下面とを含んでいる。前記本体は、前記前面と前記後面とを通る本体中心線に対して左右対称な形状に構成されている。円形の基準位置マークが前記本体の上面に設けられている。前記基準位置マークの中心は前記本体中心線に配置される。前記前面と前記下面の境界部分は、側方から見たときに、外側に向かって凸状の円弧形状をなすように構成されている。前記後面の最大輪郭部は、上方から見たときに、外側に向かって凸状の円弧形状に構成されている。この構成により、ゴルフボールを用いたときよりも正確にスイングの方向の誤りを検出することができる。
【００１０】
本発明のパット練習器具において、前記基準位置マークは、前記前面よりも前記後面に近い位置に設けられている。この構成により、パター練習器具の配置が正確であることを確認することができる。
【００１１】
本発明のパット練習器具において、前記基準位置マークは、前記後面に接する位置に設けることができる。前記基準位置マークは、表面が反射機能を有するように構成されるのがよい。この構成により、ゴルファーは基準位置マークに反射した自分の顔の一部を見て、パター練習器具の配置が正確であることを確認することができる。
【００１２】
本発明のパット練習器具において、直線状の基準方向指示線が前記本体の上面に設けられるように構成されるのがよい。前記基準方向指示線は、前記本体中心線に配置されるのがよい。前記基準方向指示線は、前記基準位置マークの内側だけに配置するように構成してもよいし、或いは、前記基準方向指示線は、前記基準位置マークの外側だけに配置するように構成してもよい。この構成により、ゴルファーは上方から基準方向指示線を見てパター練習器具の配置方向を確認することができる。
【００１３】
本発明のパット練習器具において、前記基準位置マークの直径は３０ｍｍから６０ｍｍに形成されるのが好ましい。また、前記パット練習器具の重量は４０グラムから６０グラムに形成されるのが好ましい。この構成により、ゴルフボールに近い大きさの目標を定めて、ゴルフボールに近い重量のパット練習器具を用いたパターの練習を行うことができる。
【００１４】
さらに、本発明は、ゴルフのパット練習器具において、本体が中空の箱型形状に構成され、前記本体は、上面と、前面と、右側面と、左側面と、後面と、下面とを含んでおり、前記本体は、本体中心線に対して左右対称な形状に構成されており、円周に沿う形状の基準位置指示線が前記本体の上面に設けられ、前記基準位置指示線の中心は前記本体中心線に配置され、前記後面と前記本体の下面とは、側方から見たときに円弧状をなす面により連続するように構成し、前記後面の最大輪郭部は、上方から見たときに、外側に向かって凸状の円弧形状に構成し、前記本体の上面は、表面が反射機能を有するように構成することができる。この構成により、ゴルファーは本体の上面に反射した自分の顔の一部を見て、パター練習器具の配置が正確であることを確認することができる。
【００１５】
本発明のゴルフのパット練習器具において、打撃部材を前記本体の後面に設けるように構成することができる。前記打撃部材は、前記後面の一番後方に位置する部分において、前記本体中心線に対して対称になるように配置されるのがよい。前記打撃部材は、ウレタン、サーリン、ゴム、塩化ビニール、フェルトからなる群から選択される材料で形成するのがよい。この構成により、ゴルフボールに近い打撃の感触を得たり、或いは、ソフトな打撃の感触を得ることができる。
【００１６】
本発明のゴルフのパット練習器具において、複数の突起部が前記本体の下面に設けられ、前記複数の突起部は、前記本体中心線に対して平行に配置されるのがよい。この構成により、パターの練習を行う地面（土、芝など）や床面（じゅうたん面、板面など）に対するパット練習器具の下面の摩擦抵抗を低下させることができる。
【発明の効果】
【００１７】
本発明のパット練習器具を用いてパターのストロークの練習を行うときに、パターヘッドの打球面の軌跡が真っ直ぐに目標に向かっているときはパット練習器具は真っ直ぐに移動し、パターヘッドの打球面が右に向いているときはパット練習器具は右前方に移動し、パターヘッドの打球面が左に向いているときはパット練習器具は左前方に移動する。したがって、本発明のパット練習器具を用いることにより、パターのスイングの正確な感覚を確実に習得することができる。また、本発明のパット練習器具を用いてパターの練習を行うと、ゴルフボールを用いたときよりも正確にスイングの方向の誤りを検出することができる。
【図面の簡単な説明】
【００１８】
【図１】本発明の第１の実施形態において、パット練習器具を示す斜視図である。
【図２】本発明の第１の実施形態において、パット練習器具を示す上平面図である。
【図３】本発明の第１の実施形態において、パット練習器具を示す縦断面図である。
【図４】図４（ａ）は、本発明の第１の実施形態において、パット練習器具の右側面図であり、図４（ｂ）は、パット練習器具の左側面図である。
【図５】本発明の第１の実施形態において、パット練習器具を示す正面図である。
【図６】本発明の第１の実施形態において、パット練習器具を示す背面図である。
【図７】本発明の第１の実施形態において、パット練習器具を示す下平面図である。
【図８】本発明の第１の実施形態において、上本体を示す下平面図である。
【図９】本発明の第１の実施形態において、上本体を示す断面図である。
【図１０】本発明の第１の実施形態において、下本体の外側を示す斜視図である。
【図１１】本発明の第１の実施形態において、下本体の内側を示す斜視図である。
【図１２】本発明の第１の実施形態において、下本体の内側を示す断面図である。
【図１３】本発明の第２の実施形態において、パット練習器具を示す斜視図である。
【図１４】本発明の第３の実施形態において、パット練習器具を示す斜視図である。
【図１５】本発明の第４の実施形態において、パット練習器具を示す斜視図である。
【図１６】本発明の第５の実施形態において、パット練習器具を示す斜視図である。
【図１７】本発明の第６の実施形態において、パット練習器具を示す斜視図である。
【図１８】本発明の第７の実施形態において、パット練習器具を示す斜視図である。
【図１９】パターで本発明のパター練習器具を打ったときのパター練習器具の移動軌跡を説明するための作動図である。
【図２０】従来のパター練習器具を示す斜視図である。
【図２１】従来のゴルフパット練習器具を付けたパターを示す斜視図である。
【発明を実施するための形態】
【００１９】
以下に、本発明の実施の形態を図面に基づいて説明する。
（１）第１の実施の形態：
図１から図７を参照すると、本発明の第１の実施の形態において、ゴルフのパット練習器具１００において、本体１０２が中空の箱型形状に構成される。本体１０２は、上方からみたときに、目標に向かって縦長の長方形に近い形状に形成されるのが好ましい。本体１０２は、上面１１１と、前面１１２と、右側面１１３と、左側面１１４と、後面１１５と、下面１１６とを含んでいる。本体１０２は、前面１１２と後面１１５とを通る本体中心線１１９に対して左右対称な形状に構成されるのが好ましい。本体１０２の長さＢＬは、５０ｍｍから１５０ｍｍに形成されるのが好ましく、９０ｍｍに形成されるのが特に好ましい。本体１０２の幅ＢＷは、３０ｍｍから１００ｍｍに形成されるのが好ましく、６０ｍｍに形成されるのが特に好ましい。
【００２０】
図１から図７を参照すると、本体１０２は、上部材１０４と、下部材１０６とを含むように構成されている。前面１１２は、図１に太い矢印１１２Ａで示すような目標に向かう方向に面している。後面１１５は、目標に向かってパット練習器具１００をパターで打つための面である。上面１１１と、前面１１２の一部と、右側面１１３の一部と、左側面１１４の一部と、後面１１５の一部は、上部材１０４に設けられるのがよい。前面１１２の一部と、右側面１１３の一部と、左側面１１４の一部と、後面１１５の一部と、下面１１６は、下部材１０６に設けられるのがよい。
【００２１】
図２および図３を参照すると、本体１０２の高さＢＨは、２２ｍｍから６５ｍｍに形成されるのが好ましく、２６ｍｍから４３ｍｍに形成されるのが更に好ましい。本実施形態において、例えば、本体１０２の高さＢＨは、３０ｍｍから３５ｍｍに形成することができる。本体１０２の長さＢＬは、本体１０２の幅ＢＷより大きく形成されるのが好ましい。上部材１０４の高さＢＨＵは、本体１０２の高さＢＨの５５％から８５％に形成されるのが好ましく、６０％から７０％に形成されるのが更に好ましい。下部材１０６の高さＢＨＬは、本体１０２の高さＢＨの１５％から４５％に形成されるのが好ましく、３０％から４０％に形成されるのが更に好ましい。
【００２２】
上部材１０４および下部材１０６は、ポリプロピレン、ポリカーボネート、アクリルなどの合成樹脂で形成することができる。上部材１０４および下部材１０６は、透明な合成樹脂で形成することができるし、或いは、半透明な合成樹脂で形成することができるし、或いは、不透明な合成樹脂で形成することができる。上部材１０４および下部材１０６は、同じ合成樹脂で形成するのが好ましい。例えば、上部材１０４の肉厚は、１ｍｍから５ｍｍに形成されるのが好ましい。同様に、下部材１０６の肉厚は、１ｍｍから５ｍｍに形成されるのが好ましい。上部材１０４と、下部材１０６は、嵌め合い、接着、熱溶着などにより一体化されるように構成されている。パット練習器具１００の重量は４０グラムから６０グラムに形成されるのが好ましく、ラージサイズのゴルフボールの重量と同様に４５グラム程度に形成されるのが特に好ましい。
【００２３】
図３、図８および図９を参照すると、上部材１０４と下部材１０６を一体化するために、上部材１０４には１本以上の固定ピン１０４Ｐが設けられる。図には８本の固定ピン１０４Ｐを示すけれども、固定ピンの数は、１個であってもよいし、２個であってもよいし、３個以上であってもよい。固定ピンの数は、３個以上であるのが好ましい。
図３、図１０から図１２を参照すると、上部材１０４と下部材１０６を一体化するために、下部材１０６には１個以上の嵌め合い穴１０６Ｈが設けられる。下部材１０６のそれぞれの嵌め合い穴１０６Ｈに、対応する上部材１０４の固定ピン１０４Ｐの先端部を挿入して、上部材１０４と下部材１０６を一体化するように構成されている。
【００２４】
図１、図３および図４を参照すると、後面１１５と下面１１６の境界部分は、側方から見たときに、外側に向かって凸状の円弧形状をなすように構成するのがよい。後面１１５と下面１１６の境界部分の円弧の半径ＴＲは、１０ｍｍから４０ｍｍに形成されるのが好ましく、１８ｍｍから２４ｍｍに形成されるのが更に好ましく、ラージサイズのゴルフボールの半径と同じような寸法の２１．４ｍｍ程度に形成されるのが特に好ましい。前面１１２と下面１１６の境界部分は、後面１１５と下面１１６の境界部分と同様な形状に形成されるのが好ましい。すなわち、前面１１２と下面１１６の境界部分の円弧の半径ＦＲは、１０ｍｍから４０ｍｍに形成されるのが好ましく、ラージサイズのゴルフボールの半径と同じような寸法の２１．４ｍｍ程度に形成されるのが特に好ましい。前記半径ＴＲは、上部材１０４で形成することもできるし、下部材１０６で形成することもできるし、上部材１０４および下部材１０６で形成することもできる。前記半径ＦＲは、上部材１０４で形成することもできるし、下部材１０６で形成することもできるし、上部材１０４および下部材１０６で形成することもできる。
【００２５】
或いは、図９を参照すると、後面１１５と下面１１６の境界部分は、側方から見たときに、外側に向かって凸状の半径ＦＲ１の円弧形状をなすように構成し、後面１１５の上側部分は、側方から見たときに、外側に向かって凸状の半径ＦＲ２の円弧形状をなすように構成することもできる。円弧の半径ＦＲ１は、１０ｍｍから４０ｍｍに形成されるのが好ましく、１８ｍｍから２４ｍｍに形成されるのが更に好ましく、ラージサイズのゴルフボールの半径と同じような寸法の２１．４ｍｍ程度に形成されるのが特に好ましい。円弧の半径ＦＲ２は、１０ｍｍから４０ｍｍに形成されるのが好ましく、１８ｍｍから２４ｍｍに形成されるのが更に好ましく、ラージサイズのゴルフボールの半径と同じような寸法の２１．４ｍｍ程度に形成されるのが特に好ましい。前面１１２の円弧の半径ＴＲ１は、後面１１５の円弧の半径ＦＲ１と同様に構成され、前面１１２の円弧の半径ＴＲ２は、後面１１５の円弧の半径ＦＲ２と同様に構成されるのが好ましい。前記半径ＴＲ１は、上部材１０４で形成することもできるし、下部材１０６で形成することもできるし、上部材１０４および下部材１０６で形成することもできる。前記半径ＴＲ２は、上部材１０４で形成することもできるし、下部材１０６で形成することもできるし、上部材１０４および下部材１０６で形成することもできる。前記半径ＦＲ１は、上部材１０４で形成することもできるし、下部材１０６で形成することもできるし、上部材１０４および下部材１０６で形成することもできる。前記半径ＦＲ２は、上部材１０４で形成することもできるし、下部材１０６で形成することもできるし、上部材１０４および下部材１０６で形成することもできる。
【００２６】
図２および図９を参照すると、後面１１５の最大輪郭部は、上方から見たときに、外側に向かって凸状の円弧形状に構成するのがよい。前面１１２の最大輪郭部は、上方から見たときに、外側に向かって凸状の円弧形状に形成されるのが好ましい。後面１１５の最大輪郭部を設ける位置ＢＭＬは、本体１０２の最下部を基準として、１５ｍｍから４０ｍｍに形成されるのが好ましく、１８ｍｍから２４ｍｍに形成されるのが更に好ましく、ラージサイズのゴルフボールの半径と同じような寸法の２１．４ｍｍに形成されるのが特に好ましい。前面１１２の最大輪郭部を設ける位置ＢＮＬは、本体１０２の最下部を基準として、１５ｍｍから３５ｍｍに形成されるのが好ましく、１８ｍｍから２４ｍｍに形成されるのが更に好ましく、ラージサイズのゴルフボールの半径と同じような寸法の２１．４ｍｍに形成されるのが特に好ましい。後面１１５の最大輪郭部の肉厚は、後面１１５の他の部分の肉厚より厚く形成されるのが好ましい。同様に前面１１２の最大輪郭部の肉厚は、前面１１２の他の部分の肉厚より厚く形成されるのが好ましい。この構成により、前面１１２および後面１１５の強度を高くすることができる。後面１１５の最大輪郭部の肉厚を他の部分の肉厚より厚く形成することにより、本発明のパット練習器具を用いてパターの練習を行うとき、良い打撃感触を得ることができる。
【００２７】
後面１１５の最大輪郭部の円弧の半径ＢＲは、ラージサイズのゴルフボールの半径の２１．４ｍｍよりも大きい寸法に形成されるのが特に好ましい。後面１１５の最大輪郭部の円弧の半径ＢＲは、１００ｍｍから２０００ｍｍに形成されるのが好ましく、２００ｍｍから４００ｍｍに形成されるのが更に好ましく、２５０ｍｍから３００ｍｍに形成されるのがなお一層好ましい。例えば、後面１１５の最大輪郭部の円弧の半径ＢＲは、２７５ｍｍに形成することができる。上方から見たときに、前面１１２の最大輪郭部は、後面１１５の最大輪郭部と同様な形状に形成されるのが好ましい。すなわち、前面１１２の最大輪郭部の最大輪郭部の円弧の半径ＧＲは、１００ｍｍから２０００ｍｍに形成されるのが好ましく、２００ｍｍから４００ｍｍに形成されるのが更に好ましく、２５０ｍｍから３００ｍｍに形成されるのがなお一層好ましい。例えば、前面１１２の最大輪郭部の最大輪郭部の円弧の半径ＧＲは、２７５ｍｍに形成することができる。
【００２８】
或いは、図２を参照すると、後面１１５の最大輪郭部は、中心部１１５Ｂが右側面１１３の端部１１５ＲよりもＢＳ１だけ後方に位置し、かつ、中心部１１５Ｂが左側面１１４の端部１１５ＬよりもＢＳ２だけ後方に位置するように構成することができる。ＢＳ１はＢＳ２と等しく構成するのがよい。例えば、ＢＳ１およびＢＳ２は、０．１ｍｍから８ｍｍに構成するのが好ましく、２ｍｍから４ｍｍに構成するのが更に好ましい。右側面１１３の端部１１５Ｒと、中心部１１５Ｂと、左側面１１４の端部１１５Ｌは、１個又は複数の円弧でつなげられるのがよい。後面１１５の最大輪郭部は、本体中心線１１９に対して左右対称な形状に形成されるのがよい。
【００２９】
図１および図２を参照すると、円形の基準位置マーク１２０が本体１０２の上面１１１に設けられる。基準位置マーク１２０の中心１２０Ｃは本体中心線１１９に配置される。基準位置マーク１２０は、前面１１２よりも後面１１５に近い位置に設けられるのが好ましい。基準位置マーク１２０は、後面１１５に接する位置に設けられるのが好ましい。基準位置マーク１２０の直径ＤＭは、３０ｍｍから６０ｍｍに形成されるのが好ましく、３６ｍｍから４８ｍｍに形成されるのが更に好ましく、ラージサイズのゴルフボールの直径と同じような寸法の４３ｍｍ程度に形成されるのが特に好ましい。
基準位置マーク１２０は、表面が反射機能を有するように構成される。基準位置マーク１２０は、上面１１１に、アルミニウムなどの金属をめっきすることにより形成することもできるし、アルミニウムなどの金属を蒸着などにより形成することもできる。或いは、基準位置マーク１２０は、鏡などの反射機能を有する反射部材を、上面１１１に接着などにより固定して構成することもできる。或いは、基準位置マーク１２０は、金属箔を、上面１１１に接着などにより固定して構成することもできる。或いは、上面１１１の一部を鏡面仕上げして、基準位置マーク１２０を構成することもできる。基準位置マーク１２０の反射機能を有する面は平面で構成してもよいし、或いは、外側に向かって凸状の球面で構成してもよい。
【００３０】
直線状の基準方向指示線１３０が本体１０２の上面１１１に設けられる。基準方向指示線１３０は、本体中心線１１９に配置される。基準方向指示線１３０の幅は、１ｍｍから５ｍｍに形成されるのが好ましく、２ｍｍに形成されるのが更に好ましい。基準方向指示線１３０は、上面１１１において、前面１１２から後面１１５まで形成することもできるし、前面１１２を基準にして１ｍｍから２０ｍｍ程度離れた位置から、後面１１５を基準にして１ｍｍから２０ｍｍ程度離れた位置まで形成することもできる。或いは、基準方向指示線は、間隔を隔てた複数の細い直線で構成することもできる。例えば、基準方向指示線は、２ｍｍの間隔を隔てて設けられ、幅がそれぞれ１ｍｍであるような２本の直線で構成することもできる。
【００３１】
基準方向指示線１３０は、１本の直線で形成してもよいし、或いは、断続的な点線として形成してもよい。基準方向指示線１３０は、本体１０２の輪郭形状として構成してもよいし、めっきにより形成することもできるし、蒸着などにより形成することもできる。或いは、基準位置マーク１２０は、反射機能を有する反射部材を接着などにより固定して構成することもできるし、印刷や塗装で形成してもよい。基準方向指示線１３０を本体１０２の輪郭形状として構成する場合、帯状の突起部として形成することもできるし、帯状の溝部として形成することもできる。
【００３２】
図５から図７を参照すると、複数の突起部１５０が本体１０２の下面１１６に設けられる。図示した実施形態では、５個の突起部１５０が本体１０２の下面１１６に設けられる。図示した実施形態では、３個の突起部１５０が下部材１０６の下側の表面に設けられ、２個の突起部１５０が上部材１０４の下側部分の両方の外側部分に設けられる。複数の突起部１５０は、本体中心線１１９に平行に配置される。図示した実施形態では、５個の突起部１５０を示すけれども、突起部の数は、２個であってもよいし、３個であってもよいし、４個であってもよいし、５個以上であってもよい。複数の突起部１５０は、上部材１０４の下側だけに設けることもできるし、下部材１０６の下側だけに設けることもできるし、上部材１０４および下部材１０６の両方の下側に設けることもできる。複数の突起部１５０は、本体中心線１１９に対して左右対称な位置に配置されるのが好ましい。突起部１５０は、下面１１６において、前面１１２から後面１１５まで形成することもできるし、前面１１２を基準にして１ｍｍから２０ｍｍ程度離れた位置から、後面１１５を基準にして１ｍｍから２０ｍｍ程度離れた位置まで形成することもできる。突起部１５０の高さＴＨは、下面１１６を基準として、１ｍｍから８ｍｍに形成されるのが好ましく、２ｍｍから３ｍｍに形成されるのが更に好ましい。
【００３３】
突起部１５０は、１本の直線状に形成してもよいし、或いは、断続的な点線状に形成してもよい。突起部１５０を設けることにより、パターの練習を行う地面（土、芝など）や床面（じゅうたん面、板面など）に対する下面１１６の摩擦抵抗を低下させることができる。突起部１５０の前方先端部の幅は、先細りの形状に構成されるのが好ましい。突起部１５０の前方先端部の高さは、先細りの形状に構成されるのが好ましい。同様に、突起部１５０の後方先端部の幅は、先端に向かって低くなるような形状に構成されるのが好ましい。突起部１５０の後方先端部の高さは、先端に向かって低くなるような形状に構成されるのが好ましい。
【００３４】
下部材１０６の前方部分は、外側に向かって凸状の円弧形状に形成されるのが好ましい。下部材１０６の後方部分は、外側に向かって凸状の円弧形状に形成されるのが好ましい。下部材１０６の前方部分を凸状の円弧形状に形成することにより、パターの練習を行うための面、例えば、地面（土、芝など）や床面（じゅうたん面、板面など）に対する下面１１６の摩擦抵抗を低下させることができる。
【００３５】
（２）第２の実施の形態：
次に、本発明の第２の実施の形態を説明する。以下の説明は、本発明の第２の実施形態が本発明の第１の実施形態と異なる点を主に述べる。したがって、以下に記載がない個所は、前述した本発明の第１の実施形態についての説明をここに準用する。
【００３６】
図１３を参照すると、本発明の第２の実施の形態において、ゴルフのパット練習器具２００において、本体２０２は、上部材２０４と、下部材２０６とを含む。円形の基準位置マーク２２０が本体２０２の上面２１１に設けられる。本体２０２の上面２１１には、上述したような基準方向指示線は設けられていない。
【００３７】
変形例として、三角形に形成された前方指標２３０を本体２０２の上面２１１の前方部分に設けることができる。前方指標２３０の中心は、本体中心線２１９に配置される。前方指標２３０は、三角形であってもよいし、円形であってもよいし、楕円形、星形などの他の形状であってもよい。前方指標２３０は、本体２０２の輪郭形状として構成してもよいし、めっきにより形成することもできるし、蒸着などにより形成することもできる。或いは、前方指標２３０は、反射機能を有する反射部材を接着などにより固定して構成することもできるし、印刷で形成してもよいし、或いは、塗装してもよい。前方指標２３０を本体２０２の輪郭形状として構成する場合、突起部として形成することもできるし、溝部として形成することもできる。前方指標２３０を本体２０２の輪郭形状として構成する場合、その表面に印刷や塗装を施すことができる。
【００３８】
（３）第３の実施の形態：
次に、本発明の第３の実施の形態を説明する。以下の説明は、本発明の第３の実施形態が本発明の第１の実施形態と異なる点を主に述べる。したがって、以下に記載がない個所は、前述した本発明の第１の実施形態についての説明をここに準用する。
【００３９】
図１４を参照すると、本発明の第３の実施の形態において、ゴルフのパット練習器具２４０において、本体２４２は、上部材２４４と、下部材２４６とを含む。円形の基準位置マーク２５０が本体２４２の上面２５１に設けられる。直線状の基準方向指示線２６０が本体２４２の上面２５１に設けられる。基準方向指示線２６０は、本体中心線２６９に配置される。基準方向指示線２６０は基準位置マーク２５０の内側だけに配置されている。
【００４０】
変形例として、三角形などの形状に形成された前方指標２７０を本体２４２の上面２５１の前方部分に設けることができる。前方指標２７０の中心は、本体中心線２６９に配置される。前方指標２７０の構造と配置は、前述した本発明の第３の実施形態における前方指標２３０の構造と配置と同様である。
【００４１】
（４）第４の実施の形態：
次に、本発明の第４の実施の形態を説明する。以下の説明は、本発明の第４の実施形態が本発明の第１の実施形態と異なる点を主に述べる。したがって、以下に記載がない個所は、前述した本発明の第１の実施形態についての説明をここに準用する。
【００４２】
図１５を参照すると、本発明の第４の実施の形態において、ゴルフのパット練習器具２８０において、本体２８２は、上部材２８４と、下部材２８６とを含む。円形の基準位置マーク２９０が本体２８２の上面２８１に設けられる。直線状の基準方向指示線２９２が本体２８２の上面２８１に設けられる。基準方向指示線２９２は、本体中心線２８９に配置される。基準方向指示線２９２は、基準位置マーク２９０の外側だけに配置されている。
【００４３】
（５）第５の実施の形態：
次に、本発明の第５の実施の形態を説明する。以下の説明は、本発明の第５の実施形態が本発明の第１の実施形態と異なる点を主に述べる。したがって、以下に記載がない個所は、前述した本発明の第１の実施形態についての説明をここに準用する。
【００４４】
図１６を参照すると、本発明の第５の実施の形態において、ゴルフのパット練習器具３００において、本体３０２が、上部材３０４と、下部材３０６とを含む。本体３００は、上面３１１を含んでいる。本体３００の上面３１１は、表面が反射機能を有するように構成されている。
【００４５】
円周に沿う形状の基準位置指示線３２０が本体３０２の上面３１１に設けられる。基準位置指示線３２０の中心は本体中心線３１９に配置される。基準位置指示線３２０は、前面よりも後面３１５に近い位置に設けられるのが好ましい。基準位置指示線３２０は、後面３１５に接する位置に設けられるのが好ましい。基準位置指示線３２０の直径は、３０ｍｍから６０ｍｍに形成されるのが好ましく、３６ｍｍから４８ｍｍに形成されるのが更に好ましく、ラージサイズのゴルフボールの直径と同じような寸法の４３ｍｍに形成されるのが特に好ましい。基準位置指示線３２０の太さＫＷは、１ｍｍから５ｍｍに形成されるのが好ましく、２ｍｍから３ｍｍに形成されるのが更に好ましい。
【００４６】
基準位置指示線３２０は、本体３０２の輪郭形状として構成してもよいし、めっきにより形成することもできるし、蒸着などにより形成することもできる。或いは、基準位置指示線３２０は、リング状の金属のシート部材などを接着などにより固定して構成することもできるし、印刷や塗装で形成してもよい。基準位置指示線３２０を本体３０２の輪郭形状として構成する場合、帯状の突起部として形成することもできるし、帯状の溝部として形成することもできる。
【００４７】
直線状の基準方向指示線３３０が本体３０２の上面３１１に設けられる。基準方向指示線３３０は、本体３０２の上面３１１の全部にわたって設けることもできるし、上面３１１の一部に設けることもできる。基準方向指示線３３０は、直線状の部材を接着などにより固定して構成することもできるし、印刷や塗装で形成してもよい。基準方向指示線３３０を本体３０２の輪郭形状として構成する場合、帯状の突起部として形成することもできるし、帯状の溝部として形成することもできる。変形例として、基準方向指示線３３０を設けないように構成してもよい。
【００４８】
（６）第６の実施の形態：
次に、本発明の第６の実施の形態を説明する。以下の説明は、本発明の第６の実施形態が本発明の第１の実施形態と異なる点を主に述べる。したがって、以下に記載がない個所は、前述した本発明の第１の実施形態についての説明をここに準用する。
【００４９】
図１７を参照すると、本発明の第６の実施の形態において、本体は本発明の第１の実施の形態の本体１０２と同様な形状に構成されている。ゴルフのパット練習器具４００において、打撃部材４４０が本体１０２の後面１１５に設けられる。打撃部材１４０は、後面１１５の一番後方に位置する部分において、本体中心線４１９に対して対称になるように配置されるのが好ましい。すなわち、打撃部材１４０は、後面１１５の最大輪郭部を含むような位置に配置されるのが好ましい。打撃部材１４０は、本体１０２の後面１１５において、右側面から左側面にわたって設けることもできるし、本体中心線４１９を基準として左右に一定の長さに設けることもできる。
【００５０】
例えば、打撃部材４４０の高さＤＴは、２ｍｍから２５ｍｍに構成することができる。例えば、打撃部材４４０の本体横方向にそう長さＤＬは、１０ｍｍから本体１０２の幅寸法の間に構成することができる。例えば、打撃部材４４０の厚さＤＷは、２ｍｍから１０ｍｍに構成することができる。変形例として、打撃部材は、円形、楕円形、長円形、長方形などの形状に構成してもよい。
【００５１】
打撃部材４４０は、ウレタン、サーリン（アイオノマー）、ゴム、塩化ビニール、フェルトからなる群から選択される材料で形成することができる。ゴルフボールのカバー材料として使用されているウレタンまたはサーリン（アイオノマー）で打撃部材４４０を形成した場合、パターでパット練習器具を打ったときにゴルフボールに近い打撃の感触を得ることができる。或いは、打撃部材４４０をゴム、塩化ビニール、または、フェルトで構成した場合、パターでパット練習器具を打ったときにソフトな打撃の感触を得ることができる。或いは、打撃部材４４０は、弾性変形可能な他の材料で構成することができる。上記の打撃部材４４０は、本発明の他の実施の形態の本体についても、同様な構成と配置で適用することができる。
【００５２】
（７）第７の実施の形態：
次に、本発明の第７の実施の形態を説明する。以下の説明は、本発明の第７の実施形態が本発明の第１の実施形態と異なる点を主に述べる。したがって、以下に記載がない個所は、前述した本発明の第１の実施形態についての説明をここに準用する。
【００５３】
図１８を参照すると、本発明の第７の実施の形態において、ゴルフのパット練習器具５００において、本体５０２は、上部材５０４と、下部材５０６とを含む。本体５０２は、上面５１１と、前面５１２と、右側面と、左側面と、後面５１５と、下面５１６とを含んでいる。上面５１１は、上部材５０４に設けられる。前面５１２と、右側面と、左側面と、後面５１５と、下面５１６は、下部材５０６に設けられる。すなわち、この第７の実施の形態では、上部材５０４は、平板上の蓋部材の形状を構成している。上部材５０４と、下部材５０６は、上述したように、嵌め合い、接着、熱溶着などにより一体化されるように構成される。
【００５４】
（８）本発明の実施の形態の作用：
次に、本発明の実施の形態の作用を説明する。以下で本発明の第１の実施形態の作用を説明しているけれども、本発明の他の実施形態の作用は、本発明の第１の実施形態の作用と同様である。
【００５５】
図１９を参照すると、本発明のパター練習器具１００を用いてゴルファーがパターのストロークの練習を行うとき、パター練習器具１００を地面や床面に配置する。ゴルファーは上方から基準位置マーク１２０を見てパター練習器具１００の配置位置を確認する。基準位置マーク１２０は、反射機能を有しているので、ゴルファーは基準位置マーク１２０に反射した自分の顔の一部を見て、パター練習器具１００の配置が正確であることを確認することができる。ゴルファーは上方から基準方向指示線を見てパター練習器具１００の配置方向を確認する。基準位置マーク１２０は、直線状であるので、ゴルファーはパター練習器具１００の配置方向が目標に向かって正確に向いている状態にあることを確認することができる。
【００５６】
ゴルファーがパターの打撃面６１０で本発明のパター練習器具１００を打ったときに、パター練習器具の移動軌跡を説明するための作動図が示されている。パター６００の打撃面６１０が、正確に垂直にパター練習器具１００の後面１１５の横方向の中心部に当たれば、パター練習器具１００は真っ直ぐに太い矢印１１２Ａの方向に移動する。このときには、パター練習器具１００は回転することなく移動することができる。
【００５７】
これに対して、パター６００の打撃面６１０が開いた角度で右に向いてパター練習器具１００の後面１１５に当たれば、パター練習器具１００は右方向に細い矢印１１２Ｂの方向に移動する。後面１１５の最大輪郭部は、上方から見たときに、外側に向かって凸状の円弧形状に構成されているので、パター練習器具１００は、時計回り方向に回転しながら右前方に移動することができる。
【００５８】
一方、パター６００の打撃面６１０が閉じた角度で左に向いてパター練習器具１００の後面１１５に当たれば、パター練習器具１００は左方向に細い矢印１１２Ｃの方向に移動する。後面１１５の最大輪郭部は、上方から見たときに、外側に向かって凸状の円弧形状に構成されているので、パター練習器具１００は、反時計回り方向に回転しながら左前方に移動することができる。
【００５９】
したがって、本発明のパット練習器具を用いて反復してパターの練習を行うことにより、ゴルフボールを用いることなく、パターのスイングの正確な感覚を確実に習得することができる。本発明のパット練習器具を用いてパターの練習を行うと、ゴルフボールを用いたときよりも正確にスイングの方向の誤りを検出することができる。
【産業上の利用可能性】
【００６０】
本発明は、ゴルフボールを用いることなく、パット練習器具を用いて反復してパターの練習を行うことにより、パターの正確なスイングを容易に習得することができる。
【符号の説明】
【００６１】
１００  パット練習器具
１０２  本体
１１１  上面
１１２  前面
１１３  右側面
１１４  左側面
１１５  後面
１１６  下面
１１９  本体中心線
１２０  基準位置マーク
１３０  基準方向指示線
１５０  突起部
２００  本体
２４０  本体
２８０  本体
３００  本体
４００  本体
４４０  打撃部材
５００  本体
【図１】
0005174094.tif 000002
【図２】
0005174094.tif 000003
【図３】
0005174094.tif 000004
【図４】
0005174094.tif 000005
【図５】
0005174094.tif 000006
【図６】
0005174094.tif 000007
【図７】
0005174094.tif 000008
【図８】
0005174094.tif 000009
【図９】
0005174094.tif 000010
【図１０】
0005174094.tif 000011
【図１１】
0005174094.tif 000012
【図１２】
0005174094.tif 000013
【図１３】
0005174094.tif 000014
【図１４】
0005174094.tif 000015
【図１５】
0005174094.tif 000016
【図１６】
0005174094.tif 000017
【図１７】
0005174094.tif 000018
【図１８】
0005174094.tif 000019
【図１９】
0005174094.tif 000020
【図２０】
0005174094.tif 000021
【図２１】
0005174094.tif 000022